(57)【要約】【課題】最上のシートが汚れたときには、当該最上のシートのみを除去、廃棄し、次の新しいシートを露出させればよいという従来のトイレ用吸尿マット（Ｂ）の利点を承継しながら、トイレの床面に容易に配設することができ、最上のシートを次のシートから容易に剥ぎ取ることができ、かつ、製造容易で安価に提供することができるトイレ用吸尿マットを提供する。【解決手段】それぞれ吸水層３の下面に防水層５を取り付けてなる複数枚のシート１を台座１１上に重ねて載置し、各シートは相互に粘着させることなく相互に分離自在となし、該台座はトイレの床面１３に粘着させることなく該床面に載置され、該台座には各シートを整列状態に保持する保持具１７を備えさせたことを特徴とするトイレ用吸尿マット。【選択図】図１
2010172452.tif 000002
【特許請求の範囲】
【請求項１】
それぞれ吸水層の下面に防水層を取り付けてなる複数枚のシートを台座上に重ねて載置し、各シートは相互に粘着させることなく相互に分離自在となし、該台座はトイレの床面に粘着させることなく該床面に載置され、該台座には各シートを整列状態に保持する保持具を備えさせたことを特徴とするトイレ用吸尿マット。
【請求項２】
前記保持具は、前記台座の上面に立設した保持突起であることを特徴とする請求項１に記載のトイレ用吸尿マット。
【請求項３】
前記保持具は、前記台座の上面に立設した保持枠であることを特徴とする請求項１に記載のトイレ用吸尿マット。
【発明の詳細な説明】
【技術分野】
【０００１】
本発明は、トイレ用吸尿マットに関するものであり、更に詳しくは、トイレの床面における便器の近傍に配設し、主として男性が放尿したときに便器外に落下した尿等を吸収させることにより、トイレの床面の汚れを防止するようにしたトイレ用吸尿マットに係るものである。
【背景技術】
【０００２】
トイレ用吸尿マットとしては、一般に吸水性のマット（以下「従来のトイレ用吸尿マット（Ａ）」という。）が使用されている。
【０００３】
特開２００５−１７７４１０号公報は、それぞれ紙と吸水層と防水層とよりなる複数枚のシートを両面粘着テープにより相互に固定すると共に、最下のシートを両面粘着テープによりトイレの床面に固定するようにしたトイレ用吸尿マット（以下、「従来のトイレ用吸尿マット（Ｂ）」という。）を開示している。
【先行技術文献】
【特許文献】
【０００４】
【特許文献１】特開２００５−１７７４１０号公報
【発明の概要】
【発明が解決しようとする課題】
【０００５】
上記従来のトイレ用吸尿マット（Ａ）は、トイレの床面の汚れを防止するという点においては申し分ないものである。
【０００６】
しかるに、従来のトイレ用吸尿マット（Ａ）は、マット自体が尿等により汚れたときには、一般に、その都度、これをトイレから持ち出し、適宜の場所で汚れを除去しなければならないという問題がある。けだし、従来のトイレ用吸尿マット（Ａ）は、一般家庭に備えられている洗濯機により洗濯するには必ずしも適していないものであり、しかも、使い捨てにするには高価であるからである。
【０００７】
一方、上記従来のトイレ用吸尿マット（Ｂ）は、最上のシートが汚れたときには、当該最上のシートのみを除去、廃棄し、次の新しいシートを露出させればよいのであるから、洗濯が不要であり、かつ、経済的であるという点においては優れている。
【０００８】
しかるに、従来のトイレ用吸尿マット（Ｂ）は、それぞれ紙と吸水層と防水層とよりなる複数枚のシートを両面粘着テープにより相互に固定すると共に、最下のシートを両面粘着テープによりトイレの床面に固定するようにしているため、次のような問題が生ずる。
【０００９】
（イ）最下のシートを両面粘着テープによりトイレの床面に固定する作業が面倒である。
【００１０】
（ロ）最上のシートが汚れたときに、当該最上のシートを次のシートから両面粘着テープの粘着力に抗して剥ぎ取る作業が面倒である。すなわち、最上のシートを次のシートから両面粘着テープの粘着力に抗して剥ぎ取る際に、当該最上のシートのみならず、当該次のシートないし更に下方のシートまでが剥がれるおそれがある。更に、最下のシートも同様に両面粘着テープによりトイレの床面に固定されているため、最上のシートを次のシートから剥ぎ取る際に、最下のシートまで床面から離れ、従来のトイレ用吸尿マット（Ｂ）全体が床面から持ち上がるおそれがあり、最上のシートを次のシートから剥ぎ取る作業が一層困難になる。  
【００１１】
（ハ）各シートの下面に両面粘着テープを取り付ける必要があるため、この点で、製造工程が複雑になり、コスト高の謗りを免れ得ない。
【００１２】
本発明は、上記従来のトイレ用吸尿マット（Ａ）（Ｂ）における上述の如き問題を解決し、最上のシートが汚れたときには、当該最上のシートのみを除去、廃棄し、次の新しいシートを露出させればよいという従来のトイレ用吸尿マット（Ｂ）の利点を承継しながら、トイレの床面に容易に配設することができ、最上のシートを次のシートから容易に剥ぎ取ることができ、かつ、製造容易で安価に提供することができるトイレ用吸尿マットを提供しようとしてなされたものである。
【課題を解決するための手段】
【００１３】
上記課題を解決するために、本発明は、下記のトイレ用吸尿マットを提供する。
【００１４】
（１）それぞれ吸水層の下面に防水層を取り付けてなる複数枚のシートを台座上に重ねて載置し、各シートは相互に粘着させることなく相互に分離自在となし、該台座はトイレの床面に粘着させることなく該床面に載置され、該台座には各シートを整列状態に保持する保持具を備えさせたことを特徴とするトイレ用吸尿マット（請求項１）。
【００１５】
（２）前記保持具は、前記台座の上面に立設した保持突起である（請求項２）。
【００１６】
（３）前記保持具は、前記台座の上面に立設した保持枠である（請求項３）。
【発明の効果】
【００１７】
本発明は、最上のシートが汚れたときには、当該最上のシートのみを除去、廃棄し、次の新しいシートを露出させればよいのであるから、洗濯が不要であり、かつ、経済的であるという上記従来のトイレ用吸尿マット（Ｂ）の利点を承継しながら、下記の如き優れた効果を発揮する。
【００１８】
（ａ）台座はトイレの床面に粘着させることなく該床面に載置されるようにしたため、本発明によるトイレ用吸尿マットをトイレに配設する際には、単にトイレ用吸尿マットをトイレの床面における便器の近傍に載置すればよく、その位置調整も自在である。
【００１９】
（ｂ）台座は、最下のシートと共に廃棄してもよいが、最下のシートを廃棄した後、新しい複数枚のシートを該台座上に載置して使用することもできるため、経済的である。
【００２０】
（ｃ）台座は、該台座上に載置されるシートの形状を保持すると共にトイレの床面におけるシートの滑りを防止する。因みに、台座を使用することなくシートをトイレの床面上に直接載置したときには、該シートは容易に変形し、該床面上で滑るおそれがある。
【００２１】
（ｄ）各シートは相互に粘着させることなく相互に分離自在であるため、最上のシートが汚れたときに当該最上のシートを次のシートから分離除去する作業は極めて容易である。このとき、当該最上のシートの下方のシートないし台座が持ち上がるおそれはない。
【００２２】
（ｅ）各シートは相互に粘着させることなく相互に分離自在であるため、製造が容易であり、製造コストの軽減を図ることができる。
【００２３】
（ｆ）台座には各シートを整列状態に保持する保持具を備えさせたため、各シートは台座上で整列状態に保持される。
【図面の簡単な説明】
【００２４】
【図１】本発明によるトイレ用吸尿マットの一例を示す平面図である。
【図２】同上トイレ用吸尿マットをトイレの床面に載置した状態を示す断面図である。
【図３】本発明によるトイレ用吸尿マットの別の一例における台座を示す斜視図である。
【図４】同上トイレ用吸尿マットをトイレの床面に載置した状態を示す断面図である。
【発明を実施するための形態】
【００２５】
符号１に示すものは吸尿用のシートである。
【００２６】
シート１はそれぞれ吸水層３の下面に防水層５を取り付けてなるものである。吸水層３は、一例として紙により形成される。防水層５は、一例としてポリエチレン等の合成樹脂フィルムとする。
【００２７】
シート１は、一例として、図１に示すように、便器の脚部７に対応する凹部９を備えている。この事例においては、トイレ用吸尿マットは便器の脚部７に近接した状態で配設される。
【００２８】
複数枚のシート１、１・・・を台座１１上に重ねて載置する。
【００２９】
各シート１、１・・・は、相互に粘着させることなく、相互に分離自在となす。
【００３０】
台座１１は、トイレの床面１３に粘着させることなく、単に該床面１３に載置される。
【００３１】
各シート１に便器の脚部７に対応する凹部９を備えさせたときには、台座１１にも同様の凹部１５を備えさせる。図３参照。
【００３２】
台座１１には各シート１、１・・・を整列状態に保持する保持具１７を備えさせる。
【００３３】
図１、図２に示す保持具１７は、台座１１の上面に立設した保持突起１９である。
【００３４】
保持突起１９は、一例として、棒状体１９ａの上端に頭部１９ｂを形成してなるものである。図示の事例においては、保持突起１９は台座１１の四隅に設けられている。
【００３５】
保持突起１９は、これを各シート１、１・・・に差し込むことにより、各シート１、１・・・を整列状態に保持する。使用者は、単に整列させた各シート１、１・・・に保持突起１９を差し込めばよい。
【００３６】
図３、図４に示す保持具１７は、台座１１の上面に立設した保持枠２１である。
【００３７】
保持枠２１は、一例として、台座１１の四隅を立ち上げて立ち上り部２１ａを形成すると共に該立ち上り部２１ａの上端を台座１１の内方に略水平に折り返して折り返し部２１ｂを形成してなるものである。
【００３８】
保持枠２１は、各シート１、１・・・の外縁を保持することにより、各シート１、１・・・を整列状態に保持する。使用者は、単に各シート１、１・・・を保持枠２１内にて整列状態に積み重ねればよい。
【００３９】
台座１１は、好ましくは、廃棄が容易な厚紙等により形成する。
【符号の説明】
【００４０】
１  シート
３  吸水層
５  防水層
７  便器の脚部
９  凹部
１１  台座
１３  トイレの床面
１５  凹部
１７  保持具
１９  保持突起
１９ａ  棒状体
１９ｂ  頭部
２１  保持枠
２１ａ  立ち上り部
２１ｂ  折り返し部
【図１】
2010172452.tif 000003
【図２】
2010172452.tif 000004
【図３】
2010172452.tif 000005
【図４】
2010172452.tif 000006